(57)【要約】  ＥＵＴＲＡＮと通信する端末装置であって、下りリンクにおけるサービングセルにおけるＰＢＣＨ、ＰＤＣＣＨ、および、ＰＤＳＣＨと、前記下りリンクにおける非サービングセルにおけるＰＢＣＨ、ＰＤＣＣＨ、および、ＰＤＳＣＨと、サイドリンクにおける前記非サービングセルにおける物理チャネルと、の受信を、同じサブフレームにおいて同時に行い、前記下りリンクにおける前記非サービングセルのコモンサーチスペースにおける前記ＰＤＣＣＨを、前記サイドリンクにおける前記非サービングセルにおける前記物理チャネルをデコードするよう設定された場合にモニタする。
2016063599.tif 000002
【特許請求の範囲】
【請求項１】
ＥＵＴＲＡＮ（Evolved Universal Terrestrial Radio Access Network）と通信する端末装置であって、
下りリンクにおけるサービングセルにおけるＰＢＣＨ、ＰＤＣＣＨ、および、ＰＤＳＣＨと、
前記下りリンクにおける前記サービングセル以外の非サービングセルにおけるＰＢＣＨ、ＰＤＣＣＨ、および、ＰＤＳＣＨと、
端末装置間のリンクにおける前記非サービングセルにおける物理チャネルと、の受信を、同じサブフレームにおいて同時に行う受信部を備え、
前記受信部は、前記下りリンクにおける前記非サービングセルのコモンサーチスペースにおける前記ＰＤＣＣＨを、前記端末装置間のリンクにおける前記非サービングセルにおける前記物理チャネルをデコードするよう設定された場合にモニタする
端末装置。
【請求項２】
前記端末装置間のリンクにおける前記非サービングセルにおける前記物理チャネルの送信を行う送信部を備え、
前記受信部は、前記下りリンクにおける前記非サービングセルの前記コモンサーチスペースにおける前記ＰＤＣＣＨを、前記端末装置間のリンクにおける前記非サービングセルにおける前記物理チャネルを送信するよう設定された場合にモニタする
請求項１の端末装置。
【請求項３】
前記下りリンクにおける前記サービングセルにおけるＰＤＣＣＨは、ＳＩ−ＲＮＴＩによってスクランブルされたＣＲＣパリティビットが付加された第１の情報を伝送するために用いられ、
前記下りリンクにおける前記非サービングセルにおけるＰＤＣＣＨは、前記ＳＩ−ＲＮＴＩによってスクランブルされたＣＲＣパリティビットが付加された第２の情報を伝送するために用いられる
請求項１または２の端末装置。
【請求項４】
前記第１の情報は、前記下りリンクにおける前記サービングセルにおける前記ＰＤＳＣＨのスケジューリングのために用いられ、
前記第２の情報は、前記下りリンクにおける前記非サービングセルにおける前記ＰＤＳＣＨのスケジューリングのために用いられる
請求項３の端末装置。
【請求項５】
前記下りリンクにおける前記非サービングセルの前記コモンサーチスペースにおける前記ＰＤＣＣＨは、前記下りリンクにおける前記非サービングセルにおける前記ＰＤＳＣＨのスケジューリングのために用いられる情報を伝送し、
前記下りリンクにおける前記非サービングセルにおける前記ＰＤＳＣＨは、システムインフォメーションブロックを伝送する
請求項１または２の端末装置。
【請求項６】
ＥＵＴＲＡＮ（Evolved Universal Terrestrial Radio Access Network）と通信する端末装置に用いられる通信方法であって、
下りリンクにおけるサービングセルにおけるＰＢＣＨ、ＰＤＣＣＨ、および、ＰＤＳＣＨと、
前記下りリンクにおける前記サービングセル以外の非サービングセルにおけるＰＢＣＨ、ＰＤＣＣＨ、および、ＰＤＳＣＨと、
端末装置間のリンクにおける前記非サービングセルにおける物理チャネルと、の受信を、同じサブフレームにおいて同時に行い、
前記下りリンクにおける前記非サービングセルのコモンサーチスペースにおける前記ＰＤＣＣＨを、前記端末装置間のリンクにおける前記非サービングセルにおける前記物理チャネルをデコードするよう設定された場合にモニタする
通信方法。
【請求項７】
前記端末装置間のリンクにおける前記非サービングセルにおける前記物理チャネルの送信を行い、
前記受信は、前記下りリンクにおける前記非サービングセルの前記コモンサーチスペースにおける前記ＰＤＣＣＨを、前記端末装置間のリンクにおける前記非サービングセルにおける前記物理チャネルを送信するよう設定された場合にモニタする
請求項６の通信方法。
【請求項８】
前記下りリンクにおける前記サービングセルにおけるＰＤＣＣＨは、ＳＩ−ＲＮＴＩによってスクランブルされたＣＲＣパリティビットが付加された第１の情報を伝送するために用いられ、
前記下りリンクにおける前記非サービングセルにおけるＰＤＣＣＨは、前記ＳＩ−ＲＮＴＩによってスクランブルされたＣＲＣパリティビットが付加された第２の情報を伝送するために用いられる
請求項６または７の通信方法。
【請求項９】
前記第１の情報は、前記下りリンクにおける前記サービングセルにおける前記ＰＤＳＣＨのスケジューリングのために用いられ、
前記第２の情報は、前記下りリンクにおける前記非サービングセルにおける前記ＰＤＳＣＨのスケジューリングのために用いられる
請求項８の通信方法。
【請求項１０】
前記下りリンクにおける前記非サービングセルの前記コモンサーチスペースにおける前記ＰＤＣＣＨは、前記下りリンクにおける前記非サービングセルにおける前記ＰＤＳＣＨのスケジューリングのために用いられる情報を伝送し、
前記下りリンクにおける前記非サービングセルにおける前記ＰＤＳＣＨは、システムインフォメーションブロックを伝送する
請求項６または７の通信方法。
【請求項１１】
ＥＵＴＲＡＮ（Evolved Universal Terrestrial Radio Access Network）と通信する端末装置に実装される集積回路であって、
下りリンクにおけるサービングセルにおけるＰＢＣＨ、ＰＤＣＣＨ、および、ＰＤＳＣＨと、
前記下りリンクにおける前記サービングセル以外の非サービングセルにおけるＰＢＣＨ、ＰＤＣＣＨ、および、ＰＤＳＣＨと、
端末装置間のリンクにおける前記非サービングセルにおける物理チャネルと、の受信を、同じサブフレームにおいて同時に行う機能と、
前記下りリンクにおける前記非サービングセルのコモンサーチスペースにおける前記ＰＤＣＣＨを、前記端末装置間のリンクにおける前記非サービングセルにおける前記物理チャネルをデコードするよう設定された場合にモニタする機能と、を含む一連の機能を前記端末装置に発揮させる
集積回路。
【請求項１２】
前記端末装置間のリンクにおける前記非サービングセルにおける前記物理チャネルの送信を行う機能と、
前記受信は、前記下りリンクにおける前記非サービングセルの前記コモンサーチスペースにおける前記ＰＤＣＣＨを、前記端末装置間のリンクにおける前記非サービングセルにおける前記物理チャネルを送信するよう設定された場合にモニタする機能を、さらに、前記端末装置に発揮させる
請求項１１の集積回路。
【請求項１３】
前記下りリンクにおける前記サービングセルにおけるＰＤＣＣＨは、ＳＩ−ＲＮＴＩによってスクランブルされたＣＲＣパリティビットが付加された第１の情報を伝送するために用いられ、
前記下りリンクにおける前記非サービングセルにおけるＰＤＣＣＨは、前記ＳＩ−ＲＮＴＩによってスクランブルされたＣＲＣパリティビットが付加された第２の情報を伝送するために用いられる
請求項１１または１２の集積回路。
【請求項１４】
前記第１の情報は、前記下りリンクにおける前記サービングセルにおける前記ＰＤＳＣＨのスケジューリングのために用いられ、
前記第２の情報は、前記下りリンクにおける前記非サービングセルにおける前記ＰＤＳＣＨのスケジューリングのために用いられる
請求項１３の集積回路。
【請求項１５】
前記下りリンクにおける前記非サービングセルの前記コモンサーチスペースにおける前記ＰＤＣＣＨは、前記下りリンクにおける前記非サービングセルにおける前記ＰＤＳＣＨのスケジューリングのために用いられる情報を伝送し、
前記下りリンクにおける前記非サービングセルにおける前記ＰＤＳＣＨは、システムインフォメーションブロックを伝送する
請求項１１または１２の集積回路。
【発明の詳細な説明】
【技術分野】
【０００１】
本発明は、端末装置、集積回路、および、通信方法に関する。
本願は、２０１４年１０月２４日に、日本に出願された特願２０１４−２１６７８８号に基づき優先権を主張し、その内容をここに援用する。
【背景技術】
【０００２】
セルラ（cellular）移動通信の無線アクセス方式（Evolved Universal Terrestrial Radio Access : EUTRA）および無線アクセスネットワーク（Evolved Universal Terrestrial Radio Access Network: EUTRAN）が、第三世代パートナーシッププロジェクト（3rd Generation Partnership Project: 3GPP）において検討されている。ＥＵＴＲＡおよびＥＵＴＲＡＮをＬＴＥ（Long Term Evolution）とも称する。ＬＴＥでは、基地局装置をｅＮｏｄｅＢ（evolved NodeB）、端末装置をＵＥ（User Equipment）とも称する。ＬＴＥは、基地局装置がカバーするエリアをセル状に複数配置するセルラ通信システムである。単一の基地局装置は複数のセルを管理してもよい。【０００３】
３ＧＰＰにおいて、ＰｒｏＳｅ（Proximity based Services）の検討が行われている。ＰｒｏＳｅは、ＰｒｏＳｅ発見（discovery）とＰｒｏＳｅ通信（communication）とを含む。ＰｒｏＳｅ発見は、端末装置がＥＵＴＲＡを用いて他の端末装置と近接している（inproximity）ことを特定するプロセスである。ＰｒｏＳｅ通信は、２つの端末装置間で確立されたＥＵＴＲＡＮ通信路（communication path）を用いる近接している該２つの端末間の通信である。例えば、該通信路は端末装置間において直接確立されてもよい。【０００４】
ＰｒｏＳｅ発見およびＰｒｏＳｅ通信のそれぞれを、Ｄ２Ｄ（Device to Device）発見およびＤ２Ｄ通信とも称する。ＰｒｏＳｅ発見およびＰｒｏＳｅ通信を総称して、ＰｒｏＳｅとも称する。Ｄ２Ｄ発見およびＤ２Ｄ通信を総称して、Ｄ２Ｄとも称する。通信路をリンク（link）とも称する。【０００５】
非特許文献１において、リソースブロックのサブセットがＤ２Ｄのためにリザーブされること、ネットワークがＤ２Ｄリソースのセットを設定すること、および、端末装置は該設定されたリソースにおいてＤ２Ｄ信号の送信を許可されることが記載されている。
【先行技術文献】
【非特許文献】
【０００６】
【非特許文献１】"D2D for LTE Proximity Services: Overview", R1-132028, 3GPP TSG-RAN WG1 Meeting #73, 20 - 24 May 2013.
【発明の概要】
【発明が解決しようとする課題】
【０００７】
しかしながら、端末装置がＤ２Ｄとセルラ通信を同時に行うことは十分に検討されていない。本発明は、上記問題を鑑みてなされたものであり、その目的は、効率的にＤ２Ｄを行うことができる端末装置、該端末装置に実装される集積回路、および、該端末装置に用いられる通信方法を提供することである。
【課題を解決するための手段】
【０００８】
（１）上記の目的を達成するために、本発明の態様は、以下のような手段を講じた。すなわち、本発明の第１の態様は、ＥＵＴＲＡＮ（Evolved Universal Terrestrial Radio Access Network）と通信する端末装置であって、下りリンクにおけるサービングセルにおけるＰＢＣＨ、ＰＤＣＣＨ、および、ＰＤＳＣＨと、前記下りリンクにおける前記サービングセル以外の非サービングセルにおけるＰＢＣＨ、ＰＤＣＣＨ、および、ＰＤＳＣＨと、端末装置間のリンクにおける前記非サービングセルにおける物理チャネルと、の受信を、同じサブフレームにおいて同時に行う受信部を備え、前記受信部は、前記下りリンクにおける前記非サービングセルのコモンサーチスペースにおける前記ＰＤＣＣＨを、前記端末装置間のリンクにおける前記非サービングセルにおける前記物理チャネルをデコードするよう設定された場合にモニタする。【０００９】
（２）本発明の第１の態様において、端末装置１は、前記端末装置間のリンクにおける前記非サービングセルにおける前記物理チャネルの送信を行う送信部を備え、前記受信部は、前記下りリンクにおける前記非サービングセルの前記コモンサーチスペースにおける前記ＰＤＣＣＨを、前記端末装置間のリンクにおける前記非サービングセルにおける前記物理チャネルを送信するよう設定された場合にモニタする。【００１０】
（３）本発明の第２の態様は、ＥＵＴＲＡＮ（Evolved Universal Terrestrial Radio Access Network）と通信する端末装置に用いられる通信方法であって、下りリンクにおけるサービングセルにおけるＰＢＣＨ、ＰＤＣＣＨ、および、ＰＤＳＣＨと、前記下りリンクにおける前記サービングセル以外の非サービングセルにおけるＰＢＣＨ、ＰＤＣＣＨ、および、ＰＤＳＣＨと、端末装置間のリンクにおける前記非サービングセルにおける物理チャネルと、の受信を、同じサブフレームにおいて同時に行い、前記下りリンクにおける前記非サービングセルのコモンサーチスペースにおける前記ＰＤＣＣＨを、前記端末装置間のリンクにおける前記非サービングセルにおける前記物理チャネルをデコードするよう設定された場合にモニタする。【００１１】
（４）本発明の第２の態様において、前記端末装置間のリンクにおける前記非サービングセルにおける前記物理チャネルの送信を行い、前記受信部は、前記下りリンクにおける前記非サービングセルの前記コモンサーチスペースにおける前記ＰＤＣＣＨを、前記端末装置間のリンクにおける前記非サービングセルにおける前記物理チャネルを送信するよう設定された場合にモニタする。【００１２】
（５）本発明の第３の態様は、ＥＵＴＲＡＮ（Evolved Universal Terrestrial Radio Access Network）と通信する端末装置に実装される集積回路であって、下りリンクにおけるサービングセルにおけるＰＢＣＨ、ＰＤＣＣＨ、および、ＰＤＳＣＨと、前記下りリンクにおける前記サービングセル以外の非サービングセルにおけるＰＢＣＨ、ＰＤＣＣＨ、および、ＰＤＳＣＨと、端末装置間のリンクにおける前記非サービングセルにおける物理チャネルと、の受信を、同じサブフレームにおいて同時に行う機能と、前記下りリンクにおける前記非サービングセルのコモンサーチスペースにおける前記ＰＤＣＣＨを、前記端末装置間のリンクにおける前記非サービングセルにおける前記物理チャネルをデコードするよう設定された場合にモニタする機能と、を含む一連の機能を前記端末装置に発揮させる。【００１３】
（６）本発明の第３の態様において、前記端末装置間のリンクにおける前記非サービングセルにおける前記物理チャネルの送信を行う機能と、前記受信部は、前記下りリンクにおける前記非サービングセルの前記コモンサーチスペースにおける前記ＰＤＣＣＨを、前記端末装置間のリンクにおける前記非サービングセルにおける前記物理チャネルを送信するよう設定された場合にモニタする機能を、さらに、前記端末装置に発揮させる。
【発明の効果】
【００１４】
この発明によれば、端末装置は効率的にＤ２Ｄを行うことができる。
【図面の簡単な説明】
【００１５】
【図１】本実施形態の無線通信システムの概念図である。
【図２】本実施形態の端末装置１の構成を示す概略ブロック図である。
【図３】本実施形態の基地局装置３の構成を示す概略ブロック図である。
【図４】本実施形態のRF-Parameters-r10に含まれる情報／パラメータを示す図である。
【図５】本実施形態のBandParameters-r10に含まれる情報／パラメータを示す図である。
【図６】本実施形態のRF-Parameters-r10の一例を示す図である。
【図７】第１の実施形態におけるRF-parameters-r10、および、RF-Parameters-r12の例を示す図である。
【図８】第１の実施形態におけるUEcapabilityInformationの送信に関するシーケンスチャートである。
【図９】第２の実施形態におけるＨＰＬＭＮとリンクしている端末装置１ＡとＶＰＬＭＮとリンクしている端末装置１ＢとがＤ２Ｄを行っている図を示している。
【図１０】第２の実施形態におけるRF-parameters-r10、および、RF-Parameters-r12の例を示す図である。
【図１１】第２の実施形態におけるUEcapabilityInformationの送信に関するシーケンスチャートである。
【図１２】第３の実施形態における一例を示すシーケンスチャートである。
【図１３】第３の実施形態における一例を示すフローチャートである。
【発明を実施するための形態】
【００１６】
以下、本発明の実施形態について説明する。
【００１７】
図１は、本実施形態の無線通信システムの概念図である。図１において、無線通信システムは、端末装置１Ａ〜１Ｃ、および、基地局装置３を具備する。端末装置１Ａ〜１Ｃを端末装置１という。サービングセル４は、基地局装置３（ＬＴＥ、ＥＵＴＲＡＮ）がカバーするエリア（範囲）を示す。端末装置１Ａは、ＥＵＴＲＡＮの範囲内（in-coverage）である。端末装置１Ｂおよび端末装置１Ｃは、ＥＵＴＲＡＮの範囲外（out-of-coverage）である。
【００１８】
サイドリンク５は、端末装置１間のリンクである。尚、サイドリンク５をＰＣ５、Ｄ２Ｄ通信路、ＰｒｏＳｅリンク、または、ＰｒｏＳｅ通信路とも称する。サイドリンク５において、Ｄ２Ｄ発見およびＤ２Ｄ通信が行われる。Ｄ２Ｄ発見は、端末装置１がＥＵＴＲＡを用いて他の端末装置１と近接している（in proximity）ことを特定するプロセス／手順である。Ｄ２Ｄ通信は、複数の端末装置１間で確立されたＥＵＴＲＡＮ通信路を用いる、近接している複数の該端末装置１間の通信である。例えば、該通信路は端末装置１間に直接確立されてもよい。
【００１９】
下りリンク７は、基地局装置３から端末装置１へのリンクである。上りリンク９は、端末装置１から基地局装置３へのリンクである。尚、上りリンク９において、リピータを介さずに、端末装置１から基地局装置３へ直接信号が送信されてもよい。また、上りリンク５と下りリンク７とを総称して、Ｕｕ、セルラリンク、または、セルラ通信路とも称する。また、端末装置１と基地局装置３の通信をセルラ通信、または、ＥＵＴＲＡＮとの通信とも称する。
【００２０】
本実施形態の物理チャネルおよび物理信号について説明する。
【００２１】
下りリンク物理チャネルおよび下りリンク物理信号を総称して、下りリンク信号と称する。上りリンク物理チャネルおよび上りリンク物理信号を総称して、上りリンク信号と称する。Ｄ２Ｄ物理チャネルおよびＤ２Ｄ物理信号を総称して、Ｄ２Ｄ信号と称する。物理チャネルは、上位層から出力された情報を送信するために使用される。物理信号は、上位層から出力された情報を送信するために使用されないが、物理層によって使用される。
【００２２】
図１において、端末装置１間のＤ２Ｄリンク９の無線通信では、以下のＤ２Ｄ物理チャネルが用いられる。
・ＰＳＢＣＨ（Physical Sidelink Broadcast Channel）
・ＰＳＣＣＨ（Physical Sidelink Control Channel）
・ＰＳＳＣＨ（Physical Sidelink Shared Channel）
・ＰＳＤＣＨ（Physical Sidelink Discovery Channel）
【００２３】
ＰＳＢＣＨは、Ｄ２Ｄにおけるフレーム番号を示す情報を送信するために用いられる。ＰＳＣＣＨは、ＳＣＩ（Sidelink Control Information）を送信するために用いられる。ＳＣＩは、ＰＳＳＣＨのスケジューリングのために用いられる。ＰＳＳＣＨは、Ｄ２Ｄ通信のデータ（SL-SCH: Sidelink Shared Channel）を送信するために用いられる。ＰＳＤＣＨは、Ｄ２Ｄ発見のデータ（SL-DCH: Sidelink Discovery Channel）を送信するために用いられる。
【００２４】
図１において、Ｄ２Ｄの無線通信では、以下のＤ２Ｄ物理信号が用いられる。
・サイドリンク同期信号（sidelink synchronization signal）
・サイドリンク復調参照信号（sidelink demodulation reference signal）
【００２５】
送信する端末装置１の観点から、端末装置１は、Ｄ２Ｄ通信のリソース割り当てに対する２つのモード（モード１、モード２）で動作できる。
【００２６】
モード１において、ＥＵＴＲＡＮ（基地局装置３）は、通信信号（Ｄ２ＤデータおよびＤ２ＤＳＡ）の送信のために端末装置１によって使用される正確なリソースをスケジュールする。
【００２７】
モード２において、端末装置１は、通信信号（Ｄ２ＤデータおよびＤ２ＤＳＡ）の送信のためにリソースプールからリソースを選択する。リソースプールは、リソースのセットである。モード２に対するリソースプールは、ＥＵＴＲＡＮ（基地局装置３）によって準静的（semi-static）に設定／制限されてもよい。または、モード２に対するリソースプールは予め設定（pre-configured）されていてもよい。
【００２８】
Ｄ２Ｄ通信の能力を持つ、ＥＵＴＲＡＮの範囲内（in-coverage）の端末装置１は、モード１およびモード２をサポートしてもよい。Ｄ２Ｄ通信の能力を持つ、ＥＵＴＲＡＮの範囲外（out-of-coverage）の端末装置１は、モード２のみをサポートしてもよい。
【００２９】
Ｄ２Ｄ発見手順として２つのタイプ（タイプ１、タイプ２）が定義される。
【００３０】
タイプ１のＤ２Ｄ発見手順は、発見信号に対するリソースが端末装置１に対して個別に割り当てられないＤ２Ｄ発見手順である。すなわち、タイプ１のＤ２Ｄ発見手順において、発見信号に対するリソースは全ての端末装置１または端末装置１のグループに対して割り当てられてもよい。
【００３１】
タイプ２のＤ２Ｄ発見手順は、発見信号に対するリソースが端末装置１に対して個別に割り当てられるＤ２Ｄ発見手順である。リソースが発見信号の個別の送信インスタンス（instance）のそれぞれに対して割り当てられる発見手順を、タイプ２Ａ発見手順と称する。リソースが発見信号の送信のために準永続的（semi-persistently）に割り当てられるタイプ２の発見手順を、タイプ２Ｂ発見手順と称する。
【００３２】
図１において、上りリンクの無線通信では、以下の上りリンク物理チャネルが用いられる。
・ＰＵＣＣＨ（Physical Uplink Control Channel）
・ＰＵＳＣＨ（Physical Uplink Shared Channel）
・ＰＲＡＣＨ（Physical Random Access Channel）
【００３３】
図１において、上りリンクの無線通信では、以下の上りリンク物理信号が用いられる。
・上りリンク参照信号（Uplink Reference Signal: UL RS）
【００３４】
図１において、下りリンクの無線通信では、以下の下りリンク物理チャネルが用いられる。
・ＰＢＣＨ（Physical Broadcast Channel）
・ＰＣＦＩＣＨ（Physical Control Format Indicator Channel）
・ＰＨＩＣＨ（Physical Hybrid automatic repeat request Indicator Channel）
・ＰＤＣＣＨ（Physical Downlink Control Channel）
・ＥＰＤＣＣＨ（Enhanced Physical Downlink Control Channel）
・ＰＤＳＣＨ（Physical Downlink Shared Channel）
・ＰＭＣＨ（Physical Multicast Channel）
【００３５】
図１において、下りリンクの無線通信では、以下の下りリンク物理信号が用いられる。
・同期信号（Synchronization signal: SS）
・下りリンク参照信号（Downlink Reference Signal: DL RS）
【００３６】
ＳＬ−ＳＣＨおよびＳＬ−ＤＣＨは、トランスポートチャネルである。ＰＵＳＣＨ、ＰＢＣＨ、ＰＤＳＣＨ、および、ＰＭＣＨはトランスポートチャネルの伝送に用いられる。媒体アクセス制御（Medium Access Control: MAC）層で用いられるチャネルをトランスポートチャネルと称する。ＭＡＣ層で用いられるトランスポートチャネルにおけるデータの単位を、トランスポートブロック（transport block: TB）またはＭＡＣ  ＰＤＵ（Protocol Data Unit）とも称する。ＭＡＣ層においてトランスポートブロック毎にＨＡＲＱ（Hybrid Automatic Repeat reQuest）の制御が行なわれる。トランスポートブロックは、ＭＡＣ層が物理層に渡す（deliver）データの単位である。物理層において、トランスポートブロックはコードワードにマップされ、コードワード毎に符号化処理が行なわれる。
【００３７】
以下、本実施形態における装置の構成について説明する。
【００３８】
図２は、本実施形態の端末装置１の構成を示す概略ブロック図である。図示するように、端末装置１は、無線送受信部１０、および、上位層処理部１４を含んで構成される。無線送受信部１０は、アンテナ部１１、ＲＦ（Radio Frequency）部１２、および、ベースバンド部１３を含んで構成される。上位層処理部１４は、Ｄ２Ｄ制御部１５、および、無線リソース制御部１６を含んで構成される。無線送受信部１０を送信部、または、受信部とも称する。
【００３９】
上位層処理部１４は、ユーザの操作等により生成された上りリンクデータ（トランスポートブロック）を、無線送受信部１０に出力する。上位層処理部１４は、媒体アクセス制御（MAC: Medium Access Control）層、パケットデータ統合プロトコル（Packet Data Convergence Protocol: PDCP）層、無線リンク制御（Radio Link Control: RLC）層、無線リソース制御（Radio Resource Control: RRC）層の処理を行なう。
【００４０】
上位層処理部１４が備える無線リソース制御部１６は、自装置の各種設定情報／パラメータの管理をする。無線リソース制御部１６は、基地局装置３から受信した上位層の信号に基づいて各種設定情報／パラメータをセットする。すなわち、無線リソース制御部１６は、基地局装置３から受信した各種設定情報／パラメータを示す情報に基づいて各種設定情報／パラメータをセットする。
【００４１】
上位層処理部１４が備えるＤ２Ｄ制御部１５は、無線リソース制御部１６によって管理されている各種設定情報／パラメータに基づいて、Ｄ２Ｄ発見、および／または、Ｄ２Ｄ通信の制御を行う。Ｄ２Ｄ制御部１５は、他の端末装置１またはＥＵＴＲＡＮ（基地局装置３）に送信する、Ｄ２Ｄに関連する情報を生成してもよい。Ｄ２Ｄ制御部１５は、Ｄ２Ｄ発見の送信、Ｄ２Ｄ発見の受信／モニタ、Ｄ２Ｄ通信の送信、および／または、Ｄ２Ｄ通信の受信／モニタに興味があるかどうかを管理する。
【００４２】
無線送受信部１０は、変調、復調、符号化、復号化などの物理層の処理を行う。無線送受信部１０は、基地局装置３から受信した信号を、分離、復調、復号し、復号した情報を上位層処理部１４に出力する。無線送受信部１０は、データを変調、符号化することによって送信信号を生成し、基地局装置３に送信する。
【００４３】
ＲＦ部１２は、アンテナ部１１を介して受信した信号を、直交復調によりベースバンド信号に変換し（ダウンコンバート: down covert）、不要な周波数成分を除去する。ＲＦ部１２は、処理をしたアナログ信号をベースバンド部に出力する。
【００４４】
ベースバンド部１３は、ＲＦ部１２から入力されたアナログ信号を、アナログ信号をディジタル信号に変換する。ベースバンド部１３は、変換したディジタル信号からＣＰ（Cyclic Prefix）に相当する部分を除去し、ＣＰを除去した信号に対して高速フーリエ変換（Fast Fourier Transform: FFT）を行い、周波数領域の信号を抽出する。
【００４５】
ベースバンド部１３は、データを逆高速フーリエ変換（Inverse Fast Fourier Transform: IFFT）して、ＳＣ−ＦＤＭＡシンボルを生成し、生成されたＳＣ−ＦＤＭＡシンボルにＣＰを付加し、ベースバンドのディジタル信号を生成し、ベースバンドのディジタル信号をアナログ信号に変換する。ベースバンド部１３は、変換したアナログ信号をＲＦ部１２に出力する。
【００４６】
ＲＦ部１２は、ローパスフィルタを用いてベースバンド部１３から入力されたアナログ信号から余分な周波数成分を除去し、アナログ信号を搬送波周波数にアップコンバート（up convert）し、アンテナ部１１を介して送信する。
【００４７】
図３は、本実施形態の基地局装置３の構成を示す概略ブロック図である。図示するように、基地局装置３は、無線送受信部３０、および、上位層処理部３４を含んで構成される。無線送受信部３０は、アンテナ部３１、ＲＦ部３２、および、ベースバンド部３３を含んで構成される。上位層処理部３４は、Ｄ２Ｄ制御部３５、および、無線リソース制御部３６を含んで構成される。無線送受信部３０を送信部、または、受信部とも称する。
【００４８】
上位層処理部３４は、媒体アクセス制御（MAC: Medium Access Control）層、パケットデータ統合プロトコル（Packet Data Convergence Protocol: PDCP）層、無線リンク制御（Radio Link Control: RLC）層、無線リソース制御（Radio Resource Control: RRC）層の処理を行なう。
【００４９】
上位層処理部３４が備えるＤ２Ｄ制御部３５は、無線リソース制御部３６によって管理されている各種設定情報／パラメータに基づいて、セルラリンクを用いて通信している端末装置１におけるＤ２Ｄ発見、および／または、Ｄ２Ｄ通信の制御を行う。Ｄ２Ｄ制御部３５は、他の基地局装置３、および／または、端末装置１に送信する、Ｄ２Ｄに関連する情報を生成してもよい。
【００５０】
上位層処理部３４が備える無線リソース制御部３６は、物理下りリンクチャネルに配置される下りリンクデータ（トランスポートブロック）、システムインフォメーション、ＲＲＣメッセージ、ＭＡＣ  ＣＥ（Control Element）などを生成し、又は上位ノードから取得し、無線送受信部３０に出力する。また、無線リソース制御部３６は、端末装置１各々の各種設定情報／パラメータの管理をする。無線リソース制御部３６は、上位層の信号を介して端末装置１各々に対して各種設定情報／パラメータをセットしてもよい。すなわち、無線リソース制御部３６は、各種設定情報／パラメータを示す情報を送信／報知する。
【００５１】
無線送受信部３０の機能は、無線送受信部１０と同様であるため説明を省略する。
【００５２】
本実施形態では、端末装置１は、セルラリンクにおいて１つまたは複数のサービングセルが設定される。端末装置１がセルラリンクにおける複数のサービングセルを介して基地局装置３と通信する技術をセルアグリゲーション、またはキャリアアグリゲーションと称する。サービングセルは、ＥＵＴＲＡＮの通信のために用いられる。
【００５３】
設定された複数のサービングセルは、１つのプライマリーセルと１つまたは複数のセカンダリーセルとを含む。プライマリーセルは、初期コネクション確立（initial connection establishment）プロシージャが行なわれたサービングセル、コネクション再確立（connection re-establishment）プロシージャを開始したサービングセル、または、ハンドオーバプロシージャにおいてプライマリーセルと指示されたセルである。ＲＲＣ（Radio Resource Control）コネクションが確立された時点、または、後に、セカンダリーセルが設定されてもよい。
【００５４】
セルアグリゲーションの場合には、複数のサービングセルの全てに対してＴＤＤ（Time Division Duplex）方式またはＦＤＤ（Frequency Division Duplex）方式が適用されてもよい。また、ＴＤＤ方式が適用されるセルとＦＤＤ方式が適用されるサービングセルが集約されてもよい。
【００５５】
しかしながら、無線送受信部１０の機能は、端末装置１毎に異なる。すなわち、端末装置１毎に、キャリアアグリゲーションを適用可能なバンド（キャリア、周波数）の組み合わせは異なる。従って、端末装置１は、キャリアアグリゲーションを適用可能なバンドの組み合わせ（band combination）を示す情報／パラメータRF-Parameters-r10を基地局装置３に送信する。以下、キャリアアグリゲーションを適用可能なバンドを、ＣＡバンドとも称する。また、キャリアアグリゲーションを適用不可能なバンド、または、キャリアアグリゲーションを適用可能であるが、キャリアアグリゲーションが適用されないときのバンドを、ｎｏｎ−ＣＡバンドとも称する。
【００５６】
図４は、本実施形態のRF-Parameters-r10に含まれる情報／パラメータを示す図である。RF-Parameters-r10には、１つのSupportedBandCombination-r10が含まれる。SupportedBandCombination-r10には、１つ、または、複数のBandCombinationParameters-r10が含まれる。SupportedBandCombination-r10は、サポートされるＣＡバンドの組み合わせ、および、サポートされるｎｏｎ−ＣＡバンドを含む。
【００５７】
BandCombinationParameters-r10には、１つ、または、複数のBandParameters-r10が含まれる。１つのBandCombinationParameters-r10は、サポートされるＣＡバンドの組み合わせ、または、サポートされるｎｏｎ−ＣＡバンドを示す。例えば、BandCombinationParameters-r10に複数のBandParameters-r10が含まれる場合、該複数のBandParameters-r10によって示されるＣＡバンドの組み合わせにおけるキャリアアグリゲーションを適用した通信がサポートされる。また、BandCombinationParameters-r10に１つのBandParameters-r10が含まれる場合、該１つのBandParameters-r10によって示されるバンド（ｎｏｎ−ＣＡバンド）における通信がサポートされる。
【００５８】
図５は、本実施形態のBandParameters-r10に含まれる情報／パラメータを示す図である。BandParameters-r10には、bandEUTRA-r10、bandParametersUL-r10、および、bandParametersDL-r10が含まれる。
【００５９】
bandEUTRA-r10は、FreqBandIndicatorを含む。FreqBandIndicatorはバンドを示す。FreqBandIndicatorが示すバンドにおいて端末装置１が上りリンク信号を送信する能力がない場合、BandParameters-r10にbandParametersUL-r10は含まれない。FreqBandIndicatorが示すバンドにおいて端末装置１が下りリンク信号を受信する能力がない場合、BandParameters-r10にbandParametersDL-r10は含まれない。
【００６０】
bandParametersUL-r10には、１つ、または、複数のCA-MIMO-ParametersUL-r10が含まれる。CA-MIMO-ParametersUL-r10には、ca-BandwidthClassUL-r10、および、supportedMIMO-CapabilityUL-r10が含まれる。ca-BandwidthClassUL-r10は、CA-BandwidthClass-r10を含む。
【００６１】
supportedMIMO-CapabilityUL-r10は、上りリンクにおいて空間多重（spatial multiplexing）に対してサポートされるレイヤの数を示す。上りリンクにおいて空間多重をサポートしない場合、CA-MIMO-ParametersUL-r10にsupportedMIMO-CapabilityUL-r10は含まれない。
【００６２】
bandParametersDL-r10には、１つ、または、複数のCA-MIMO-ParametersDL-r10が含まれる。CA-MIMO-ParametersDL-r10には、ca-BandwidthClassDL-r10、および、supportedMIMO-CapabilityDL-r10が含まれる。ca-BandwidthClassDL-r10は、CA-BandwidthClass-r10を含む。
【００６３】
supportedMIMO-CapabilityDL-r10は、下りリンクにおいて空間多重（spatial multiplexing）に対してサポートされるレイヤの数を示す。下りリンクにおいて空間多重をサポートしない場合、CA-MIMO-ParametersDL-r10にsupportedMIMO-CapabilityUL-r10は含まれない。
【００６４】
CA-BandwidthClass-r10は、上りリンク、または、下りリンクにおいて、端末装置１によってサポートされるＣＡ帯域幅クラスを示す。CA-BandwidthClassUL-r10は、上りリンクにおいて、端末装置１によってサポートされるＣＡ帯域幅クラスに対応する。CA-BandwidthClassDL-r10は、下りリンクにおいて、端末装置１によってサポートされるＣＡ帯域幅クラスに対応する。ＣＡ帯域幅クラスは、FreqBandIndicatorが示すバンドにおいて端末装置１が同時に設定可能なセルの数、および、FreqBandIndicatorが示すバンドにおいて同時に設定されたセルの帯域幅の合計などによって定義される。例えば、ＣＡ帯域幅クラスａは、２０ＭＨｚ以下の１つのセルが設定可能であることを示す。
【００６５】
図６は、本実施形態のRF-Parameters-r10の一例を示す図である。例えば、RF-Parameters-r10には、１つのSupportedBandCombination-r10が含まれる。上述したように、SupportedBandCombination-r10には、１つ、または、複数のBandCombinationParameters-r10が含まれる。また、BandCombinationParameters-r10には、１つ、または、複数のBandParameters-r10が含まれる。
【００６６】
ＢＣＰ１００のBandCombinationParameters-r10は、Ｂａｎｄ  Ａにおいて１つのセルで上りリンクにおける送信が可能であり、Ｂａｎｄ  Ａにおいて１つのセルで下りリンクにおける送信が可能であることを示している。すなわち、ＢＣＰ１００のBandCombinationParameters-r10は、Ｂａｎｄ  Ａにおいて１つのセルをサポートしていることを示している。また、ＢＣＰ１００のBandCombinationParameters-r10は、Ｂａｎｄ  Ａの下りリンクにおいて空間多重に対して２つのレイヤがサポートされることを示している。また、ＢＣＰ１００のBandCombinationParameters-r10は、Ｂａｎｄ  Ａの上りリンクにおいて空間多重がサポートされていないことを示している。
【００６７】
ＢＣＰ３００のBandCombinationParameters-r10は、Ｂａｎｄ  Ａにおいて１つのセルで上りリンクにおける送信が可能であり、Ｂａｎｄ  Ａにおいて１つのセルで下りリンクにおける送信が可能であり、Ｂａｎｄ  Ｂにおいて１つのセルで下りリンクにおける送信が可能であることを示している。すなわち、ＢＣＰ１００のBandCombinationParameters-r10は、Ｂａｎｄ  Ａにおける１つのプライマリーセル、および、Ｂａｎｄ  Ｂにおける上りリンクをともなわない１つのセカンダリーセルの組み合わせがサポートされていることを示している。また、ＢＣＰ３００のBandCombinationParameters-r10は、Ｂａｎｄ  Ａの下りリンクにおける空間多重、Ｂａｎｄ  Ｂの下りリンクにおける空間多重、および、Ｂａｎｄ  Ａの上りリンクにおける空間多重がサポートされていないことを示している。
【００６８】
本実施形態のＤ２Ｄリソースの設定方法について説明する。
【００６９】
Ｄ２Ｄのためにリザーブされるリソースを、Ｄ２Ｄリソースと称する。ＦＤＤセルにおいて、セルラ通信に対して用いられる下りリンク信号は下りリンクキャリアのサブフレームに配置され、セルラ通信に対して用いられる上りリンク信号は上りリンクキャリアのサブフレームに配置され、Ｄ２Ｄに対して用いられるＤ２Ｄ信号は上りリンクキャリアのサブフレームに配置される。下りリンクにおいてセルに対応するキャリアを下りリンクコンポーネントキャリアと称する。また、上りリンクにおいてセルに対応するキャリアを上りリンクコンポーネントキャリアと称する。ＴＤＤキャリアは、下りリンクコンポーネントキャリアであり、かつ、上りリンクコンポーネントキャリアである。
【００７０】
ＴＤＤセルにおいて、セルラ通信に対して用いられる下りリンク信号は下りリンクサブフレームおよびＤｗＰＴＳに配置され、セルラ通信に対して用いられる上りリンク信号は上りリンクサブフレームおよびＵｐＰＴＳに配置され、Ｄ２Ｄに対して用いられるＤ２Ｄ信号は上りリンクサブフレームに配置される。
【００７１】
Ｄ２Ｄリソースを含むＦＤＤのサブフレーム、および、Ｄ２Ｄリソースを含むＴＤＤの上りリンクサブフレームをサイドリンクサブフレームとも称する。
【００７２】
基地局装置３は、Ｄ２ＤのためにリザーブされるＤ２Ｄリソースを制御する。基地局装置３は、ＦＤＤセルの上りリンクキャリアのリソースの一部をＤ２Ｄリソースとしてリザーブする。基地局装置３は、ＴＤＤセルの上りリンクサブフレームおよびＵｐＰＴＳのリソースの一部をＤ２Ｄリソースとしてリザーブする。
【００７３】
基地局装置３は、セルのそれぞれにおいてリザーブされたＤ２Ｄリソースのセット（プール）を示す情報を含む上位層の信号を、端末装置１に送信してもよい。端末装置１は、セルのそれぞれにおいてリザーブされたＤ２Ｄリソースを示すパラメータD2D-ResourceConfigを、基地局装置３から受信した上位層の信号に基づいてセットする。すなわち、基地局装置３は、セルのそれぞれにおいてリザーブされたＤ２Ｄリソースを示すパラメータD2D-ResourceConfigを、上位層の信号を介して端末装置１にセットする。
【００７４】
基地局装置３は、Ｄ２Ｄのためにリザーブされるリソースの１つまたは複数のセットを示す１つまたは複数のパラメータを、上位層の信号を介して端末装置１にセットしてもよい。
【００７５】
Ｄ２Ｄ発見のタイプ１、Ｄ２Ｄ発見のタイプ２、Ｄ２Ｄ通信のモード１、および、Ｄ２Ｄ通信のモード２のそれぞれのためのリソースのセットは、個別に設定されてもよい。
【００７６】
Ｄ２Ｄ物理チャネルのそれぞれのためのリソースのセットは、個別に設定されてもよい。
【００７７】
Ｄ２Ｄの送信および受信のためのリソースのセットは、個別に設定されてもよい。
【００７８】
さらに、Ｄ２Ｄデータの送信に関するＰＳＳＣＨのためのリソースのセットと、ＳＣＩの送信に関するＰＳＣＣＨのためのリソースのセットは、個別に設定されてもよい。
【００７９】
端末装置１の観点から、上述したリソースのセットのうち一部のリソースのセットは、透過的（transparent）であってもよい。例えば、Ｄ２Ｄ通信モード１のＰＳＳＣＨは、ＳＣＩによってスケジュールされるため、端末装置１は、Ｄ２Ｄ通信モード１のＰＳＳＣＨの受信／モニタのためのリソースのセットを設定しなくてもよい。
【００８０】
３ＧＰＰにおいて、Ｄ２Ｄは、ＰＳ（Public Safety）のために用いられることが検討されている。基地局装置３は、Ｄ２ＤリソースのセットのそれぞれがＰＳのためのリソースのセットであるかどうかを、端末装置１に通知してもよい。また、端末装置１は、ＥＵＴＲＡＮを介して、ＰＳのためのＤ２Ｄが認証されてもよい。すなわち、ＰＳのためのＤ２Ｄが認証されていない端末装置１は、ＰＳのためのリソースのセットでＤ２Ｄを行うことができない。
【００８１】
端末装置１は、Ｄ２Ｄに関する予め設定された設定を持っていてもよい。端末装置１は、Ｄ２Ｄが認証されたキャリア／周波数において何れのセルも検出できない場合に、該予め設定された設定に基づいてＤ２Ｄ通信／Ｄ２Ｄ発見を行ってもよい。すなわち、Ｄ２Ｄが認証されたキャリア／周波数において端末装置１がＥＵＴＲＡＮの範囲外である場合に、Ｄ２Ｄが認証されたキャリア／周波数において予め設定された設定に基づいてＤ２Ｄ通信／Ｄ２Ｄ発見を行ってもよい。すなわち、端末装置１は、サービングセルが設定されていない周波数／キャリアであって、何れのセルも検出できない周波数／キャリアにおいて、Ｄ２Ｄの送信および／または受信を行ってもよい。
【００８２】
Ｄ２Ｄが認証されたキャリア／周波数において端末装置１がＥＵＴＲＡＮの範囲外である場合に、Ｄ２Ｄが認証されたキャリア／周波数において予め設定された設定に基づいてＤ２Ｄ通信／Ｄ２Ｄ発見と、Ｄ２Ｄが認証されていないキャリア／周波数においてセルラ通信とを同時に行ってもよい。
【００８３】
端末装置１の無線送受信部１０の機能は、セルラリンクとサイドリンクに対して共用されてもよい。例えば、セルラリンクのための無線送受信部１０の機能の一部をサイドリンクのために利用してもよい。例えば、Ｄ２Ｄを行っていない場合に、サイドリンクのための無線送受信部１０の機能を、セルラリンクに対して使用してもよい。
【００８４】
以下、第１の実施形態について説明する。第１の実施形態は、Ｄ２Ｄ通信およびＤ２Ｄ発見の何れか一方または両方に適用されてもよい。第１の実施形態は、サイドリンクおよびセルラリンクの送信に対してのみ適用されてもよい。第１の実施形態は、サイドリンクおよびセルラリンクの受信に対してのみ適用されてもよい。
【００８５】
端末装置１の無線送受信部１０の構成によって、セルラリンクにおける１つ、または複数のバンドと、サイドリンクにおけるバンドの可能な組み合わせは異なる。例えば、ある端末装置１は、セルラリンクにおいてＢａｎｄ  Ａの２つのセルを同時に設定された場合に、Ｂａｎｄ  ＢにおいてＤ２Ｄを行えるが、セルラリンクにおいてＢａｎｄ  Ａの２つのセルとＢａｎｄ  Ｂの１つのセルを同時に設定された場合に、Ｂａｎｄ  ＢにおいてＤ２Ｄを行えないかもしれない。すなわち、ある端末装置１は、Ｂａｎｄ  Ｂにセルラリンクのためにセルが設定されなかった場合に、Ｂａｎｄ  ＢにおいてＤ２Ｄを行えるが、Ｂａｎｄ  Ｂにセルラリンクのために少なくとも１つのセルが設定された場合に、Ｂａｎｄ  ＢにおいてＤ２Ｄを行えないかもしれない。
【００８６】
そこで、第１の実施形態では、端末装置１のＤ２Ｄの設定および／または興味を示す情報／パラメータProSeAssistance-r12、および、対応するBandCobinationParameter-r10におけるＤ２Ｄの機能を示す情報／パラメータRF-Parameters-r12を、情報／パラメータRF-parameters-r10とともに送信する。
【００８７】
情報／パラメータProSeAssistance-r12は、以下の情報（１）から情報（８）の一部、または、全部を含んでもよい。尚、Ｄ２Ｄ通信のための情報とＤ２Ｄ発見のための情報を分けてもよい。すなわち、Ｄ２Ｄ通信のための情報とＤ２Ｄ発見のための情報は区別されてもよい。すなわち、Ｄ２Ｄ通信に対して、以下の情報（１）から情報（８）が定義されてもよい。また、Ｄ２Ｄ発見に対して、以下の情報（１）から情報（８）が定義されてもよい。また、情報（１）から情報（８）の情報の一部をまとめることによって１つの情報が定義されてもよい。
【００８８】
・情報（１）：Ｄ２Ｄの送信のためのリソースを要求する情報
・情報（２）：Ｄ２Ｄの送信のためのリソースが設定されているバンド／周波数を指示する情報
・情報（３）：Ｄ２Ｄの送信に興味があるかどうかを示す情報
・情報（４）：Ｄ２Ｄの送信に興味があるバンド／周波数を指示する情報
・情報（５）：Ｄ２Ｄの受信／モニタのためのリソースを要求する情報
・情報（６）：Ｄ２Ｄの受信／モニタのためのリソースが設定されているバンド／周波数を指示する情報
・情報（７）：Ｄ２Ｄの受信／モニタに興味があるかどうかを示す情報
・情報（８）：Ｄ２Ｄの受信／モニタに興味があるバンド／周波数を指示する情報
【００８９】
図７は、第１の実施形態におけるRF-parameters-r10、および、RF-Parameters-r12の例を示す図である。図７において、RF-parameters-r10はSupportedBandCombination-r10を含み、SupportedBandCombination-r10は４つのBandCobinationParameter-r10（ＢＣＰ１２０、ＢＣＰ２２０、ＢＣＰ３２０、ＢＣＰ４２０）を含む。また、RF-parameters-r12はProSeBandList-r12を含み、ProSeBandList-r12はProSeBand-r12（ＰＢ１２０、ＰＢ２２０、ＰＢ３２０、ＰＢ４２０）を含む。ここで、ProSeBandList-r12に含まれるProSeBand-r12の数は、SupportedBandCombination-r10に含まれるBandCobinationParameter-r10の数と同じ（４つ）である。すなわち、１つのProSeBand-r12は、１つのBandCobinationParameter-r10に対応する。例えば、ProSeBand-r12の順番は、対応するBandCobinationParameter-r10の順番と同じである。すなわち、ＰＢＸ２０はＢＣＰＸ２０に対応する（Ｘ＝１、２、３、４）。
【００９０】
情報／パラメータProSeBand-r12は、以下の情報（９）から情報（１４）の一部、または、全部を含んでもよい。尚、Ｄ２Ｄ通信のための情報とＤ２Ｄ発見のための情報を分けてもよい。すなわち、Ｄ２Ｄ通信のための情報とＤ２Ｄ発見のための情報は区別されてもよい。すなわち、Ｄ２Ｄ通信に対して、以下の情報（９）から情報（１４）が定義されてもよい。また、Ｄ２Ｄ発見に対して、以下の情報（９）から情報（１４）が定義されてもよい。また、情報（９）から情報（１４）の情報の一部をまとめることによって１つの情報が定義されてもよい。
【００９１】
・情報（９）：対応するBandCobinationParameter-r10が示すバンド／レイヤの数、または、バンドの組み合わせ／レイヤの数がセルラリンクのために設定された場合にＤ２Ｄが可能であることを示す情報
・情報（１０）：対応するBandCobinationParameter-r10が示すバンド／レイヤの数、または、バンドの組み合わせ／レイヤの数がセルラリンクのために設定された場合にＤ２Ｄの送信が可能であることを示す情報
・情報（１１）：対応するBandCobinationParameter-r10が示すバンド／レイヤの数、または、バンドの組み合わせ／レイヤの数がセルラリンクのために設定された場合にＤ２Ｄの受信が可能であることを示す情報
・情報（１２）：対応するBandCobinationParameter-r10が示すバンド／レイヤの数、または、バンドの組み合わせ／レイヤの数がセルラリンクのために設定された場合にＤ２Ｄが可能であるバンド／周波数を示す情報
・情報（１３）：対応するBandCobinationParameter-r10が示すバンド／レイヤの数、または、バンドの組み合わせ／レイヤの数がセルラリンクのために設定された場合にＤ２Ｄの送信が可能であるバンド／周波数を示す情報
・情報（１４）：対応するBandCobinationParameter-r10が示すバンド／レイヤの数、または、バンドの組み合わせ／レイヤの数がセルラリンクのために設定された場合にＤ２Ｄの受信が可能であるバンド／周波数を示す情報
【００９２】
図８は、第１の実施形態におけるUEcapabilityInformationの送信に関するシーケンスチャートである。UEcpabilityInformationは、ＲＲＣメッセージであってもよい。
【００９３】
Ｄ２Ｄをサポートしている基地局装置３は情報／パラメータUEcapabilityInformationの送信を要求する情報／パラメータUECapabilityEnquitryを、Ｄ２Ｄ通信およびＤ２Ｄ発見の何れか一方または両方をサポートしている端末装置１に送信する（Ｓ８０）。以下、Ｄ２Ｄをサポートしている基地局装置を、単に基地局装置３と称する。以下、Ｄ２Ｄ通信およびＤ２Ｄ発見の何れか一方または両方をサポートしている端末装置１を、単に端末装置１と称する。
【００９４】
情報／パラメータUECapabilityEnquitryを受信した端末装置１は、ProSeAssistance-r12、RF-Parameters-r10、および、RF-parameters-r12を含むUEcapabilityInformationを基地局装置３に送信する（Ｓ８１）。基地局装置３は、受信したUEcapabilityInformationに基づいて、端末装置１に対するキャリアアグリゲーションおよび／または空間多重、Ｄ２Ｄ通信、および／または、Ｄ２Ｄ発見の設定を決定する（Ｓ８２）。基地局装置３は、Ｓ８２で決定した設定に基づいて、端末装置１に対してＲＲＣコネクション再設定を行う（Ｓ８３）。
【００９５】
これにより、基地局装置３は、端末装置１がＤ２Ｄに興味があるかどうか、および、端末装置１の無線送受信部１０の機能に基づいて、効率的にＤ２Ｄおよびセルラリンクのセルの設定を行うことができる。また、これにより、端末装置１は、効率的にＤ２Ｄ通信、Ｄ２Ｄ発見、および／または、セルラの通信を同時に行うことができる。
【００９６】
以下、第２の実施形態について説明する。第２の実施形態は、Ｄ２Ｄ通信およびＤ２Ｄ発見の何れか一方または両方に適用されてもよい。第２の実施形態は、サイドリンクおよびセルラリンクの送信に対してのみ適用されてもよい。第２の実施形態は、サイドリンクおよびセルラリンクの受信に対してのみ適用されてもよい。
【００９７】
第２の実施形態の端末装置１は、セルラリンクにおいてBandCobinationParameter-r10が示すバンドの組み合わせ／バンドが設定された場合に、サイドリンクにおける送信／受信が可能かどうかに基づいて、BandCobinationParameter-r10をSupportedBandCombination-r10またはSupportedBandCombinationExt-r12に含める。
【００９８】
すなわち、第２の実施形態の端末装置１は、サイドリンクにおける送信／受信が設定されている場合に、セルラリンクにおいてBandCobinationParameter-r10が示すバンドの組み合わせ／バンド／レイヤの数の設定が可能かどうかに基づいて、BandCobinationParameter-r10をSupportedBandCombination-r10またはSupportedBandCombinationExt-r12に含める。
【００９９】
第２の実施形態の端末装置１は、セルラリンクにおいてBandCobinationParameter-r10が示すバンドの組み合わせ／バンド／レイヤの数が設定された場合に、BandCobinationParameter-r10が示すバンド以外のバンドにおいてサイドリンクにおける送信／受信が可能かどうかに基づいて、BandCobinationParameter-r10をSupportedBandCombination-r10またはSupportedBandCombinationExt-r12に含めてもよい。
【０１００】
すなわち、第２の実施形態の端末装置１は、BandCobinationParameter-r10が示すバンド以外のバンドにおいてサイドリンクにおける送信／受信が設定されている場合に、セルラリンクにおいてBandCobinationParameter-r10が示すバンドの組み合わせ／バンド／レイヤの数の設定が可能かどうかに基づいて、BandCobinationParameter-r10をSupportedBandCombination-r10またはSupportedBandCombinationExt-r12に含めてもよい。
【０１０１】
尚、SupportedBandCombination-r10に含まれるBandCobinationParameter-r10が示すバンドの組み合わせ／バンド／レイヤの数と、SupportedBandCombinationExt-r12に含まれるBandCobinationParameter-r10が示すバンドの組み合わせ／バンド／レイヤの数は重複しない。
【０１０２】
図９は第２の実施形態におけるＨＰＬＭＮ（Home Public Land Mobile Network）とリンクしている端末装置１ＡとＶＰＬＭＮ（Visited Public Land Mobile Network）とリンクしている端末装置１ＢとがＤ２Ｄを行っている図を示している。図９において、ＨＰＬＭＮはＤ２Ｄをサポートしており、ＶＰＬＭＮはＤ２Ｄをサポートしていない。図９において、端末装置１Ａと端末装置１Ｂは、ＨＰＬＭＮにおいて認証されたキャリア／周波数においてＤ２Ｄを行っている。
【０１０３】
図９において、ＶＰＬＭＮにローミングしている端末装置１Ｂは、ＨＰＬＭＮにおいて認証されたキャリア／周波数においてＤ２Ｄを行っている。したがって、図９において、端末装置１ＢがRF-parameters-r10で送信したＣＡバンドの組み合わせのうち、Ｄ２ＤをサポートしていないＣＡバンドの組み合わせは設定不可能である。しかしながら、ＶＰＬＭＮはＤ２Ｄをサポートしていないため、ProSeAssistance-r12、および、RF-parameters-r12を認識することができない。したがって、RF-parameters-r10に基づいて、Ｄ２ＤをサポートしていないＣＡバンドの組み合わせを設定しようと試みてしまう問題がある。
【０１０４】
そこで、第２の実施形態では、SupportedBandCombination-r10には、Ｄ２Ｄと同時にサポートされるＣＡバンドの組み合わせ／レイヤの数、および、Ｄ２Ｄと同時にサポートされるｎｏｎ−ＣＡバンド／レイヤの数が含まれてもよい。すなわち、SupportedBandCombination-r10には、Ｄ２Ｄを行っていたとしてもサポートされるＣＡバンドの組み合わせ／レイヤの数、および、Ｄ２Ｄを行っていたとしてもサポートされるｎｏｎ−ＣＡバンド／レイヤの数が含まれてもよい。すなわち、SupportedBandCombination-r10には、Ｄ２Ｄと同時にサポートされないＣＡバンドの組み合わせ／レイヤの数、および、Ｄ２Ｄと同時にサポートしないｎｏｎ−ＣＡバンド／レイヤの数が含まれない。
【０１０５】
第２の実施形態では、RF-Parameters-r12に情報／パラメータSupportedBandCombinationExt-r12を追加で含める。SupportedBandCombinationExt-r12には、Ｄ２Ｄを行っていない場合にのみサポートされるＣＡバンドの組み合わせ／レイヤの数が含まれてもよい。また、SupportedBandCombinationExt-r12には、Ｄ２Ｄを行っていない場合にのみサポートされるｎｏｎ−ＣＡバンド／レイヤの数が含まれてもよい。
【０１０６】
図１０は、第２の実施形態におけるRF-parameters-r10、および、RF-Parameters-r12の例を示す図である。図１０において、RF-parameters-r10はSupportedBandCombination-r10を含み、SupportedBandCombination-r10は２つのBandCobinationParameter-r10（ＢＣＰ１４０、ＢＣＰ２４０）を含む。ここで、BandCobinationParameter-r10（ＢＣＰ１４０、ＢＣＰ２４０）のそれぞれは、Ｄ２Ｄを行っていたとしてもサポートされるＣＡバンドの組み合わせ／レイヤの数、または、Ｄ２Ｄを行っていたとしてもサポートされるｎｏｎ−ＣＡバンド／レイヤの数を示す。すなわち、BandCobinationParameter-r10（ＢＣＰ１４０、ＢＣＰ２４０）のそれぞれは、Ｄ２Ｄオペレーションと同時に、セルラリンク（下りリンク、および／または、上りリンクのそれぞれ）のためにサポートされるＣＡバンドの組み合わせ／ｎｏｎ−ＣＡバンド／レイヤの数を示していてもよい。すなわち、BandCobinationParameter-r10（ＢＣＰ１４０、ＢＣＰ２４０）のそれぞれは、Ｄ２Ｄの送信／受信が設定されている場合に、サポートされるＣＡバンドの組み合わせ／ｎｏｎ−ＣＡバンド／レイヤの数を示していてもよい。
【０１０７】
図１０において、RF-parameters-r12はSupportedBandCombinationExt-r12およびProSeBandList-r12を含む。図１０において、SupportedBandCombinationExt-r12は２つのBandCobinationParameter-r10（ＰＢ３４０、ＰＢ４４０）を含む。ここで、BandCobinationParameter-r10（ＰＢ３４０、ＰＢ４４０）のそれぞれは、Ｄ２Ｄを行っていないときにのみサポートされるＣＡバンドの組み合わせ、または、Ｄ２Ｄを行っていないときにのみサポートされるｎｏｎ−ＣＡバンドを示す。すなわち、BandCobinationParameter-r10（ＰＢ３４０、ＰＢ４４０）のそれぞれは、Ｄ２Ｄオペレーションと同時に、セルラリンク（下りリンク、および／または、上りリンクのそれぞれ）のためにサポートされないＣＡバンドの組み合わせ／ｎｏｎ−ＣＡバンド／レイヤの数を示していてもよい。すなわち、BandCobinationParameter-r10（ＰＢ３４０、ＰＢ４４０）のそれぞれは、Ｄ２Ｄの送信／受信が設定されていない場合に、サポートされるＣＡバンドの組み合わせ／ｎｏｎ−ＣＡバンド／レイヤの数を示していてもよい。
【０１０８】
図１０において、ProSeBandList-r12は、SupportedBandCombination-r10に含まれるBandCobinationParameter-r10と同じ数である２つのProSeBand-r12（ＰＢ１４０、ＰＢ２４０）を含む。１つのProSeBand-r12は、１つのBandCobinationParameter-r10に対応している。ProSeBand-r12の順番は、対応するBandCobinationParameter-r10の順番と同じである。すなわち、ＰＢＸ４０はＢＣＰＸ４０に対応している（Ｘ＝１、２）。上述したように、ProSeBand-r12は、情報（９）から情報（１４）の一部、または、全部を含んでもよい。
【０１０９】
SupportedBandCombinationExt-r12に含まれるBandCobinationParameter-r10は、暗に、Ｄ２Ｄを行っていないときにのみサポートされるＣＡバンドの組み合わせ／レイヤの数、または、Ｄ２Ｄを行っていないときにのみサポートされるｎｏｎ−ＣＡバンド／レイヤの数を示していると基地局装置３が導き出せるため、SupportedBandCombinationExt-r12に含まれるBandCobinationParameter-r10に対応するProSeBand-r12をProSeBandList-r12に含めなくてもよい。これにより、UEcapablityInformationの情報量を減らすことができる。
【０１１０】
図１１は、第２の実施形態におけるUEcapabilityInformationの送信に関するシーケンスチャートである。
【０１１１】
Ｄ２Ｄをサポートしていない基地局装置３Ｂは情報／パラメータUEcpabilityInformationの送信を要求する情報／パラメータUECapabilityEnquitryを、Ｄ２Ｄ通信およびＤ２Ｄ発見の何れか一方または両方をサポートしている端末装置１Ｂに送信する（Ｓ１１０）。
【０１１２】
情報／パラメータUECapabilityEnquitryを受信した端末装置１は、ProSeAssistance-r12、RF-Parameters-r10、および、RF-parameters-r12を含むUEcapabilityInformationを基地局装置３に送信する（Ｓ１１１）。基地局装置３は、受信したUEcapabilityInformationに含まれるRF-Parameters-r10に基づいて、端末装置１に対するキャリアアグリゲーションおよび／または空間多重の設定を決定する（Ｓ１１２）。基地局装置３は、Ｓ１１２で決定した設定に基づいて、端末装置１に対してＲＲＣコネクション再設定を行う（Ｓ１１３）。
【０１１３】
Ｄ２Ｄをサポートしていない基地局装置３Ｂは、SupportedBandCombinationExt-r12を無視するため（識別できないため）、Ｄ２Ｄを行っていないときにのみサポートされるＣＡバンドの組み合わせ／レイヤの数、および、Ｄ２Ｄを行っていないときにのみサポートされるｎｏｎ−ＣＡバンド／レイヤの数を、Ｄ２Ｄをサポートしている端末装置１Ｂに対して設定しない。これにより、Ｄ２Ｄをサポートしていない基地局装置３Ｂは、SupportedBandCombination-r10に基づいて、Ｄ２Ｄをサポートしている端末装置１Ｂに対して、Ｄ２Ｄを行っていたとしてもサポートされるＣＡバンドの組み合わせ／レイヤの数、および、Ｄ２Ｄを行っていたとしてもサポートされるｎｏｎ−ＣＡバンド／レイヤの数のみを設定するようになる。
【０１１４】
Ｄ２Ｄをサポートしている基地局装置３Ｂは、SupportedBandCombinationExt-r12（および／または、ProSeBandList-r12）に基づいて、Ｄ２Ｄを行っていないときにのみサポートされるＣＡバンドの組み合わせ／レイヤの数、および、Ｄ２Ｄを行っていないときにのみサポートされるｎｏｎ−ＣＡバンド／レイヤの数を、Ｄ２ＤをサポートしておりＤ２Ｄを行っていない端末装置１Ｂに対して設定してもよい。また、Ｄ２Ｄをサポートしている基地局装置３Ｂは、SupportedBandCombination-r10に基づいて、Ｄ２Ｄを行っていたとしてもサポートされるＣＡバンドの組み合わせ／レイヤの数、および、Ｄ２Ｄを行っていたとしてもサポートされるｎｏｎ−ＣＡバンド／レイヤの数を、Ｄ２ＤをサポートしておりＤ２Ｄを行っている端末装置１Ｂに対して設定してもよい。
【０１１５】
これにより、端末装置１は、効率的にＤ２Ｄ通信、Ｄ２Ｄ発見、および／または、セルラの通信を同時に行うことができる。また、Ｄ２Ｄをサポートしていない基地局装置３であっても、Ｄ２Ｄをサポートしている端末装置１と効率的に通信することができる。
【０１１６】
尚、第２の実施形態において、あるバンドにおいてＤ２Ｄを行っている場合にはサポートされるが、あるバンドとは異なるバンドにおいてＤ２Ｄを行っている場合にはサポートされないＣＡバンドの組み合わせ／ｎｏｎ−ＣＡバンド／レイヤの数を示すBandCobinationParameter-r10は、SupportedBandCombinationExt-r12に含まれてもよい。
【０１１７】
この場合、SupportedBandCombinationExt-r12に含まれるBandCobinationParameter-r10に対応するProSeBand-r12が必要である。そこで、この場合、ProSeBandList-r12には、SupportedBandCombination-r10に含まれるBandCobinationParameter-r10の数、および、SupportedBandCombinationExt-r12に含まれるBandCobinationParameter-r10の数の合計と同じ数のProSeBand-r12をProSeBandList-r12に含めことが好ましい。
【０１１８】
尚、第１の実施形態において、BandCobinationParameter-r10は、SupportedBandCombination-r10は、Ｄ２Ｄを行っていたとしてもサポートされるバンドの組み合わせ／バンド／レイヤの数を示すようにしてもよい。このとき、第１の実施形態において、Ｄ２Ｄをサポートする基地局装置３は、ProseBand-r12に情報（１２）、情報（１３）、および／または、情報（１４）が含まれる場合、端末装置１に対してサイドリンクにおける送信／受信が設定されていない場合、情報（１２）、情報（１３）、および／または、情報（１４）によって示されたバンドにおいて、セルラリンクのために設定可能なセルの数が１つ増えると解釈する。
【０１１９】
以下、第３の実施形態について説明する。第３の実施形態は、Ｄ２Ｄ通信およびＤ２Ｄ発見の何れか一方または両方に適用されてもよい。第３の実施形態は、Ｄ２Ｄ通信モード１およびＤ２Ｄ通信モード２の何れか一方または両方に適用されてもよい。第３の実施形態は、Ｄ２Ｄ発見タイプ１およびＤ２Ｄ発見タイプ２の何れか一方または両方に適用されてもよい。第３の実施形態は、サイドリンクにおける物理チャネルの一部または全部に適用されてもよい。第３の実施形態は、サイドリンクの送信および受信の何れか一方または両方に対して適用されてもよい。
【０１２０】
第３の実施形態では、第１の実施形態、および、第２の実施形態と同様に、端末装置１は、サービングセルが設定されていない周波数／キャリアであって、何れのセルも検出できない周波数／キャリアにおいて、Ｄ２Ｄの送信および／または受信を行う。端末装置１は、サービングセルが設定されていない周波数／キャリアであって、何れのセルも検出できない周波数／キャリアにおいて、予め設定された設定に基づいて、Ｄ２Ｄの送信および／または受信を行う。
【０１２１】
さらに、第３の実施形態では、端末装置１は、サービングセルが設定されていない周波数／キャリアであって、サービングセル以外の非サービングセル（non-serving cell）を検出できた周波数／キャリアにおいて、Ｄ２Ｄの送信および／または受信を行う。端末装置１は、サービングセルが設定されていない周波数／キャリアであって、サービングセル以外の非サービングセルを検出できた周波数／キャリアにおいて、非サービングセルにおいてＤ２Ｄの送信および／または受信のためのリソースプールが提供／報知されているならば、Ｄ２Ｄの送信および／または受信を行う。
【０１２２】
尚、第１の実施形態および第２の実施形態は、サービングセルが設定されていない周波数／キャリアであって、サービングセル以外の非サービングセルを検出できた周波数／キャリアにおいて、Ｄ２Ｄの送信および／または受信を行う場合に適用されてもよい。
【０１２３】
第３の実施形態の無線送受信部１０は、同じサブフレームにおいて、以下の物理チャネル（１）から（７）の受信を同時に行うことができる。すなわち、以下の物理チャネル（１）から（７）の組み合わせは、端末装置１によって、同じサブフレームにおいて、同時に受信され得る物理チャネルの可能な組み合わせを示している。例えば、端末装置１は、非サービングセルにおける下りリンクにおける受信、および、非サービングセルにおけるサイドリンクにおける受信を、同時に行ってもよい。
【０１２４】
第３の実施形態の無線送受信部１０は、同じサブフレームにおいて、以下の物理チャネル（１）から（６）の受信と、以下の物理チャネル（７）の送信と、を同時に行うことができる。すなわち、以下の物理チャネル（１）から（７）の組み合わせは、端末装置１によって、同じサブフレームにおいて、同時に受信、および、送信され得る物理チャネルの可能な組み合わせを示している。例えば、端末装置１は、非サービングセルにおける下りリンクにおける受信、および、非サービングセルにおけるサイドリンクにおける送信を、同時に行ってもよい。
【０１２５】
第３の実施形態の無線送受信部１０は、同じサブフレームにおいて、以下の物理チャネル（１）から（４）と、以下の物理チャネル（８）の受信と、を同時に行うことができる。すなわち、以下の物理チャネル（１）から（４）と、以下の物理チャネル（８）の組み合わせは、端末装置１によって、同じサブフレームにおいて、同時に受信され得る物理チャネルの可能な組み合わせを示している。
【０１２６】
・物理チャネル（１）：下りリンクにおけるサービングセル（プライマリーセル）におけるＰＢＣＨ
・物理チャネル（２）：下りリンクにおけるサービングセル（プライマリーセル）におけるＰＤＣＣＨ
・物理チャネル（３）：下りリンクにおけるサービングセル（プライマリーセル）におけるＰＤＳＣＨ
・物理チャネル（４）：下りリンクにおける非サービングセルにおけるＰＢＣＨ
・物理チャネル（５）：下りリンクにおける非サービングセルにおけるＰＤＣＣＨ
・物理チャネル（６）：下りリンクにおける非サービングセルにおけるＰＤＳＣＨ
・物理チャネル（７）：サイドリンクにおける非サービングセルにおけるＰＳＢＣＨ／ＰＳＣＣＨ／ＰＳＳＣＨ／ＰＳＤＣＨ
・物理チャネル（８）：サイドリンクにおけるサービングセル（プライマリーセル）におけるＰＳＢＣＨ／ＰＳＣＣＨ／ＰＳＳＣＨ／ＰＳＤＣＨ
【０１２７】
第３の実施形態において、サイドリンクにおけるＰＳＢＣＨ／ＰＳＣＣＨ／ＰＳＳＣＨ／ＰＳＤＣＨの送信および受信は、同時に複数のセルで行われない。すなわち、物理チャネル（７）の送信／受信と、物理チャネル（８）の送信／受信は、同時に行われない。
【０１２８】
下りリンクにおけるサービングセル（プライマリーセル）におけるＰＢＣＨは、下りリンクにおけるサービングセルの帯域幅を示す情報を含むマスターインフォメーションブロックを伝送する。セルの帯域幅は物理リソースブロックの数によって表現される。
【０１２９】
例えば、下りリンクにおけるサービングセル（プライマリーセル）におけるＰＤＳＣＨは、セルラリンクにおける該サービングセルに対する上位層の信号（システムインフォメーション）を伝送する。ここで、下りリンクにおけるサービングセル（プライマリーセル）におけるＰＤＳＣＨは、該サービングセルにおいてリザーブされたＤ２Ｄリソースのセット（プール）を示す情報を含む上位層の信号（システムインフォメーション、システムインフォメーションブロック１８）を伝送してもよい。
【０１３０】
例えば、下りリンクにおけるサービングセル（プライマリーセル）におけるＰＤＣＣＨは、下りリンクにおけるサービングセルにおけるＰＤＳＣＨのスケジューリングのために用いられる第１の情報を伝送する。第１の情報には、ＳＩ−ＲＮＴＩ（System Information Radio Network Temporary Identifier）によってスクランブルされたＣＲＣパリティビットが付加される。すなわち、例えば、下りリンクにおけるサービングセル（プライマリーセル）におけるＰＤＣＣＨに対して、モニタされるＲＮＴＩは、ＳＩ−ＲＮＴＩであってもよい。
【０１３１】
下りリンクにおける非サービングセルにおけるＰＢＣＨは、下りリンクにおける非サービングセルの帯域幅を示す情報を含むマスターインフォメーションブロックを伝送する。
【０１３２】
下りリンクにおける非サービングセルにおけるＰＤＳＣＨは、該非サービングセルにおいてリザーブされたＤ２Ｄリソースのセット（プール）を示す情報を含む上位層の信号（システムインフォメーション、システムインフォメーションブロック１８）を伝送する。
【０１３３】
下りリンクにおける非サービングセルにおけるＰＤＣＣＨは、下りリンクにおける非サービングセルにおけるＰＤＳＣＨのスケジューリングのために用いられる第２の情報を伝送する。第２の情報には、ＳＩ−ＲＮＴＩによってスクランブルされたＣＲＣパリティビットが付加される。すなわち、例えば、下りリンクにおける非サービングセルにおけるＰＤＣＣＨに対して、モニタされるＲＮＴＩは、ＳＩ−ＲＮＴＩであってもよい。
【０１３４】
尚、ＰＢＣＨにはＢＣＨ（broadcast channel）がマップされる。また、ＰＤＳＣＨにはＤＬ−ＳＣＨ（downlink shared channel）がマップされる。ＢＣＨ、および、ＤＬ−ＳＣＨはトランスポートチャネルである。すなわち、ＰＢＣＨに関連するトランスポートチャネルは、ＢＣＨである。また、ＰＤＳＣＨに関連するトランスポートチャネルは、ＤＬ−ＳＣＨである。
【０１３５】
端末装置１は、下りリンクにおけるサービングセル（プライマリーセル）におけるＰＤＣＣＨを、下りリンクにおけるサービングセル（プライマリーセル）におけるコモンサーチスペースでモニタする。
【０１３６】
端末装置１は、下りリンクにおける非サービングセルにおけるＰＤＣＣＨを、下りリンクにおける非サービングセルにおけるコモンサーチスペースでモニタする。
【０１３７】
ＰＤＣＣＨをモニタすることは、全てのモニタされる下りリンク制御情報フォーマットに応じてＰＤＣＣＨ候補のセットにおいてＰＤＣＣＨの復号を試みることである。ＰＤＣＣＨ候補は、ＰＤＣＣＨが送信される可能性のある候補リソースである。ＰＤＣＣＨ候補のセットをサーチスペースと称する。
【０１３８】
コモンサーチスペースは、セル固有のパラメータのみに基づいて定義されるサーチスペースである。すなわち、コモンサーチスペースは、端末装置間で共通のサーチスペースである。コモンサーチスペースは、予め定義されたインデックスの制御チャネル要素から構成されるＰＤＣＣＨ候補のセットである。コモンサーチスペースは、セル毎に定義されてもよい。セカンダリーセルに対してコモンサーチスペースは定義されなくてもよい。
【０１３９】
図１２は、第３の実施形態の一例を示すシーケンスチャートである。
【０１４０】
ＨＰＬＭＮまたはＶＰＬＭＮとリンクしている端末装置１は、ＲＲＣ接続再設定手順を行うことによって、ＨＰＬＭＮまたはＶＰＬＭＮにおけるサービングセルの設定／再設定を行う（Ｓ１２０）。
【０１４１】
端末装置１は、サイドリンクにおける非サービングセルにおける送信、および／または、受信（デコード）を行うよう、上位層によって設定される（Ｓ１２１）。
【０１４２】
端末装置１は、サイドリンクにおける非サービングセルにおける送信、および／または、受信を行うよう、上位層によって設定された場合、下りリンクにおける非サービングセルにおけるコモンサーチスペースで、ＰＤＣＣＨ（物理チャネル（５））をモニタする（ステップＳ１２２）。端末装置１は、セルにおいてＰＳＣＣＨ／ＰＳＳＣＨ／ＰＳＢＣＨ／ＰＳＤＣＨを送信および／または受信するよう上位層によって設定された場合、該セルにおいてＰＳＣＣＨ／ＰＳＳＣＨ／ＰＳＢＣＨ／ＰＳＤＣＨを送信および／または受信するために必要なＰＤＣＣＨを、該セルにおけるコモンサーチスペースでモニタする。ここで、該セルは、非サービングセル／周波数／キャリアであってもよい。例えば、ＰＳＣＣＨ／ＰＳＳＣＨ／ＰＳＢＣＨ／ＰＳＤＣＨの送信および／または受信は、サイドリンクにおける非サービングセルで行なわれる。また、コモンサーチスペースにおけるＰＤＣＣＨのモニタリングは、下りリンクにおける非サービングセルで行なわれる。
【０１４３】
端末装置１は、下りリンクにおける非サービングセルにおけるＰＤＳＣＨを介して、サイドリンクにおけるリソースに関するシステムインフォメーションブロック１８を受信する（ステップＳ１２３）。
【０１４４】
図１３は、第３の実施形態の一例を示すフローチャートである。
【０１４５】
端末装置１は、端末装置１の上位層などによって、サイドリンクにおける非サービングセルにおける送信、および／または、受信を行うように設定される（Ｓ１３０）。Ｄ２Ｄが認証されたキャリア／周波数において、サービングセルが設定されておらず、非サービングセルを検出している場合（Ｓ１３１−ＹＥＳ）、下りリンクにおける非サービングセルにおけるコモンサーチスペースで、ＰＤＣＣＨをモニタ／受信する（Ｓ１３２）。
【０１４６】
Ｄ２Ｄの受信を行うように設定された端末装置１は、Ｓ１３２で受信したＰＤＣＣＨに対応するＰＤＳＣＨを受信する。さらに、端末装置１は、ＰＤＳＣＨを介して受信したシステムインフォメーションブロックにＤ２Ｄの受信のためのリソースプールを示す情報が含まれている場合、Ｓ１３４に進む（Ｓ１３３−ＹＥＳ）。
【０１４７】
Ｄ２Ｄの送信を行うように設定された端末装置１は、Ｓ１３２で受信したＰＤＣＣＨに対応するＰＤＳＣＨを受信する。さらに、端末装置１は、ＰＤＳＣＨを介して受信したシステムインフォメーションブロック１８にＤ２Ｄの送信のためのリソースプールを示す情報が含まれている場合、Ｓ１３４に進む（Ｓ１３３−ＹＥＳ）。
【０１４８】
Ｓ１３４において、端末装置１は、システムインフォメーションブロック１８に基づいて、サイドリンクにおける非サービングセルにおける送信、および／または、受信を行い、Ｓ１３５に進む（Ｓ１３４）。
【０１４９】
Ｄ２Ｄの受信を行うように設定された端末装置１は、Ｓ１３２で受信したＰＤＣＣＨに対応するＰＤＳＣＨを受信する。さらに、端末装置１は、ＰＤＳＣＨを介して受信したシステムインフォメーションブロック１８にＤ２Ｄの受信のためのリソースプールを示す情報が含まれていない場合、Ｄ２Ｄの受信をせず、Ｓ１３５に進む（Ｓ１３３−ＮＯ）。
【０１５０】
Ｄ２Ｄの送信を行うように設定された端末装置１は、Ｓ１３２で受信したＰＤＣＣＨに対応するＰＤＳＣＨを受信する。さらに、端末装置１は、ＰＤＳＣＨを介して受信したシステムインフォメーションブロックにＤ２Ｄの送信のためのリソースプールを示す情報が含まれていない場合、Ｄ２Ｄの送信をせず、Ｓ１３５に進む（Ｓ１３３−ＮＯ）。
【０１５１】
Ｓ１３５において、端末装置１は、ProSeAssistance-r12を、ＨＰＬＭＮの基地局装置３に報告する（Ｓ１３５）。ここで、Ｄ２Ｄに関する情報を報告するために、Ｓ１３５においてＲＲＣ＿ＩＤＬＥ状態である端末装置１は、ＲＲＣ接続確立プロシージャを行ってもよい。Ｓ１３５の後、端末装置１は処理を終了する。
【０１５２】
端末装置１は、Ｄ２Ｄが認証されたキャリア／周波数において、サービングセルが設定されておらず、非サービングセルを検出できない場合（Ｓ１３１−ＹＥＳ）、予め設定された設定に基づいて、サイドリンクにおける非サービングセルにおける送信、および／または、受信を行う（Ｓ１３６）。Ｓ１３６の後、端末装置１は処理を終了する。
【０１５３】
（１）本実施形態の端末装置１は、端末装置間のリンク（サイドリンク）において送信および／または受信を行う端末装置１であって、UEcapabilityInformationを、基地局装置３に送信する送信部を備える。UEcapabilityInformationは、SupportedBandCombination-r10およびSupportedBandCombinationExt-r12を含む。前記SupportedBandCombination-r10は、前記端末装置間のリンクにおいて送信および／または受信を行っていないときにのみサポートされる、前記基地局装置との通信に用いられるバンド、および／または、バンドの組み合わせを示し、SupportedBandCombinationExt-r12は、前記端末装置間のリンクにおいて送信および／または受信を行っていたとしてもサポートされる、前記基地局装置との通信に用いられるバンド、および／または、バンドの組み合わせを示す。
【０１５４】
（２）本実施形態において、SupportedBandCombination-r10は、SupportedBandCombination-r10が示すバンドのそれぞれにおいて空間多重に対してサポートされるレイヤの数を示し、SupportedBandCombinationExt-r12は、SupportedBandCombinationExt-r12が示すバンドのそれぞれにおいて空間多重に対してサポートされるレイヤの数を示す。
【０１５５】
（３）本実施形態において、SupportedBandCombinationExt-r12は、端末装置間のリンクにおける送信および／または受信を制御する機能を持たない基地局装置３には認識されない。
【０１５６】
（４）本実施形態において、UEcapabilityInformationは、ProSeAssistance-r12を含み、ProSeAssistance-r12は、以下の情報（Ａ１）から情報（Ａ８）の一部、または、全部を含む。
・情報（Ａ１）：Ｄ２Ｄの送信のためのリソースを要求する情報
・情報（Ａ２）：Ｄ２Ｄの送信のためのリソースが設定されているバンド／周波数を指示する情報
・情報（Ａ３）：Ｄ２Ｄの送信に興味があるかどうかを示す情報
・情報（Ａ４）：Ｄ２Ｄの送信に興味があるバンド／周波数を指示する情報
・情報（Ａ５）：Ｄ２Ｄの受信／モニタのためのリソースを要求する情報
・情報（Ａ６）：Ｄ２Ｄの受信／モニタのためのリソースが設定されているバンド／周波数を指示する情報
・情報（Ａ７）：Ｄ２Ｄの受信／モニタに興味があるかどうかを示す情報
・情報（Ａ８）：Ｄ２Ｄの受信／モニタに興味があるバンド／周波数を指示する情報
【０１５７】
（５）本実施形態において、UEcapabilityInformationは、SupportedBandCombination-r10によって示されたバンド、および／または、バンドの組み合わせのそれぞれに対応するProSeBand-r12を含み、ProSeBandList-r12は、以下の情報（Ｂ１）から情報（Ｂ６）の一部、または、全部を含む。
・情報（Ｂ１）：対応する前記バンド、または、前記バンドの組み合わせが前記基地局との通信のために設定された場合に、Ｄ２Ｄが可能であることを示す情報
・情報（Ｂ２）：対応する前記バンド、または、前記バンドの組み合わせが前記基地局との通信のために設定された場合にＤ２Ｄの送信が可能であることを示す情報
・情報（Ｂ３）：対応する前記バンド、または、前記バンドの組み合わせが前記基地局との通信のために設定された場合にＤ２Ｄの受信が可能であることを示す情報
・情報（Ｂ４）：対応する前記バンド、または、前記バンドの組み合わせが前記基地局との通信のために設定された場合にＤ２Ｄが可能であるバンド／周波数を示す情報
・情報（Ｂ５）：対応する前記バンド、または、前記バンドの組み合わせが前記基地局との通信のために設定された場合にＤ２Ｄの送信が可能であるバンド／周波数を示す情報
・情報（Ｂ６）：対応する前記バンド、または、前記バンドの組み合わせが前記基地局との通信のために設定された場合にＤ２Ｄの受信が可能であるバンド／周波数を示す情報
【０１５８】
（６）本実施形態において、UEcapabilityInformationは、SupportedBandCombinationExt-r12によって示されたバンド、および／または、バンドの組み合わせのそれぞれに対応するProSeBand-r12を含まない。
【０１５９】
（７）本実施形態の基地局装置３は、UEcapabilityInformationを受信する受信部を備える。
【０１６０】
（８）本実施形態の端末装置１は、ＥＵＴＲＡＮ（Evolved Universal Terrestrial Radio Access Network）と通信する端末装置１であって、下りリンクにおけるサービングセルにおけるＰＢＣＨ、ＰＤＣＣＨ、および、ＰＤＳＣＨと、前記下りリンクにおける前記サービングセル以外の非サービングセルにおけるＰＢＣＨ、ＰＤＣＣＨ、および、ＰＤＳＣＨと、端末装置間のリンクにおける前記非サービングセルにおける物理チャネルと、の受信を、同じサブフレームにおいて同時に行う受信部を備え、前記受信部は、前記下りリンクにおける前記非サービングセルのコモンサーチスペースにおける前記ＰＤＣＣＨを、前記端末装置間のリンクにおける前記非サービングセルにおける前記物理チャネルをデコードするよう設定された場合にモニタする。
【０１６１】
（９）本実施形態の端末装置１は、さらに、前記端末装置間のリンクにおける前記非サービングセルにおける前記物理チャネルの送信を行う送信部を備え、前記受信部は、前記下りリンクにおける前記非サービングセルの前記コモンサーチスペースにおける前記ＰＤＣＣＨを、前記端末装置間のリンクにおける前記非サービングセルにおける前記物理チャネルを送信するよう設定された場合にモニタする。
【０１６２】
（１０）本実施形態において、前記下りリンクにおける前記サービングセルにおけるＰＤＣＣＨは、ＳＩ−ＲＮＴＩによってスクランブルされたＣＲＣパリティビットが付加された第１の情報を伝送するために用いられ、前記下りリンクにおける前記非サービングセルにおけるＰＤＣＣＨは、前記ＳＩ−ＲＮＴＩによってスクランブルされたＣＲＣパリティビットが付加された第２の情報を伝送するために用いられる。
【０１６３】
（１１）本実施形態において、前記第１の情報は、前記下りリンクにおける前記サービングセルにおける前記ＰＤＳＣＨのスケジューリングのために用いられ、前記第２の情報は、前記下りリンクにおける前記非サービングセルにおける前記ＰＤＳＣＨのスケジューリングのために用いられる。
【０１６４】
（１２）本実施形態において、記下りリンクにおける前記非サービングセルの前記コモンサーチスペースにおける前記ＰＤＣＣＨは、前記下りリンクにおける前記非サービングセルにおける前記ＰＤＳＣＨのスケジューリングのために用いられる情報を伝送し、前記下りリンクにおける前記非サービングセルにおける前記ＰＤＳＣＨは、システムインフォメーションブロックを伝送する。
【０１６５】
本発明に関わる基地局装置３、および端末装置１で動作するプログラムは、本発明に関わる上記実施形態の機能を実現するように、ＣＰＵ（Central Processing Unit）等を制御するプログラム（コンピュータを機能させるプログラム）であっても良い。そして、これら装置で取り扱われる情報は、その処理時に一時的にＲＡＭ（Random Access Memory）に蓄積され、その後、Ｆｌａｓｈ  ＲＯＭ（Read Only Memory)などの各種ＲＯＭやＨＤＤ（Hard Disk Drive）に格納され、必要に応じてＣＰＵによって読み出し、修正・書き込みが行われる。
【０１６６】
尚、上述した実施形態における端末装置１、基地局装置３の一部、をコンピュータで実現するようにしても良い。その場合、この制御機能を実現するためのプログラムをコンピュータが読み取り可能な記録媒体に記録して、この記録媒体に記録されたプログラムをコンピュータシステムに読み込ませ、実行することによって実現しても良い。
【０１６７】
尚、ここでいう「コンピュータシステム」とは、端末装置１、又は基地局装置３に内蔵されたコンピュータシステムであって、ＯＳや周辺機器等のハードウェアを含むものとする。また、「コンピュータ読み取り可能な記録媒体」とは、フレキシブルディスク、光磁気ディスク、ＲＯＭ、ＣＤ−ＲＯＭ等の可搬媒体、コンピュータシステムに内蔵されるハードディスク等の記憶装置のことをいう。
【０１６８】
さらに「コンピュータ読み取り可能な記録媒体」とは、インターネット等のネットワークや電話回線等の通信回線を介してプログラムを送信する場合の通信線のように、短時間、動的にプログラムを保持するもの、その場合のサーバやクライアントとなるコンピュータシステム内部の揮発性メモリのように、一定時間プログラムを保持しているものも含んでも良い。また上記プログラムは、前述した機能の一部を実現するためのものであっても良く、さらに前述した機能をコンピュータシステムにすでに記録されているプログラムとの組み合わせで実現できるものであっても良い。
【０１６９】
また、上述した実施形態における基地局装置３は、複数の装置から構成される集合体（装置グループ）として実現することもできる。装置グループを構成する装置の各々は、上述した実施形態に関わる基地局装置３の各機能または各機能ブロックの一部、または、全部を備えてもよい。装置グループとして、基地局装置３の一通りの各機能または各機能ブロックを有していればよい。また、上述した実施形態に関わる端末装置１は、集合体としての基地局装置と通信することも可能である。
【０１７０】
また、上述した実施形態における基地局装置３は、ＥＵＴＲＡＮ（Evolved Universal Terrestrial Radio Access Network）であってもよい。また、上述した実施形態における基地局装置３は、ｅＮｏｄｅＢに対する上位ノードの機能の一部または全部を有してもよい。
【０１７１】
また、上述した実施形態における端末装置１、基地局装置３の一部、又は全部を典型的には集積回路であるＬＳＩとして実現してもよいし、チップセットとして実現してもよい。端末装置１、基地局装置３の各機能ブロックは個別にチップ化してもよいし、一部、又は全部を集積してチップ化してもよい。また、集積回路化の手法はＬＳＩに限らず専用回路、又は汎用プロセッサで実現しても良い。また、半導体技術の進歩によりＬＳＩに代替する集積回路化の技術が出現した場合、当該技術による集積回路を用いることも可能である。
【０１７２】
また、上述した実施形態では、通信装置の一例として端末装置を記載したが、本願発明は、これに限定されるものではなく、屋内外に設置される据え置き型、または非可動型、または可動型の電子機器、たとえば、ＡＶ機器、キッチン機器、掃除・洗濯機器、空調機器、オフィス機器、自動販売機、自動車、その他生活機器などの端末装置もしくは通信装置にも適用出来る。
【０１７３】
以上、この発明の実施形態に関して図面を参照して詳述してきたが、具体的な構成はこの実施形態に限られるものではなく、この発明の要旨を逸脱しない範囲の設計変更等も含まれる。また、本発明は、請求項に示した範囲で種々の変更が可能であり、異なる実施形態にそれぞれ開示された技術的手段を適宜組み合わせて得られる実施形態についても本発明の技術的範囲に含まれる。また、上記各実施形態に記載された要素であり、同様の効果を奏する要素同士を置換した構成も含まれる。
【産業上の利用可能性】
【０１７４】
本発明は、携帯電話、パーソナル・コンピュータ、タブレット型コンピュータなどに適用できる。
【符号の説明】
【０１７５】
１（１Ａ、１Ｂ、１Ｃ）    端末装置
３（３Ａ、３Ｂ）    基地局装置
１０    無線送受信部
１１    アンテナ部
１２    ＲＦ部
１３    ベースバンド部
１４    上位層処理部
１５    Ｄ２Ｄ制御部
１６    無線リソース制御部
３０    無線送受信部
３１    アンテナ部
３２    ＲＦ部
３３    ベースバンド部
３４    上位層処理部
３５    Ｄ２Ｄ制御部
３６    無線リソース制御部
【図１】
2016063599.tif 000003
【図２】
2016063599.tif 000004
【図３】
2016063599.tif 000005
【図４】
2016063599.tif 000006
【図５】
2016063599.tif 000007
【図６】
2016063599.tif 000008
【図７】
2016063599.tif 000009
【図８】
2016063599.tif 000010
【図９】
2016063599.tif 000011
【図１０】
2016063599.tif 000012
【図１１】
2016063599.tif 000013
【図１２】
2016063599.tif 000014
【図１３】
2016063599.tif 000015
【国際調査報告】
2016063599.tif 000016
2016063599.tif 000017
2016063599.tif 000018
2016063599.tif 000019